(57)【特許請求の範囲】
【請求項１】
冷却飲料を貯蔵した飲料容器をその内部に収納した装置本体と、この装置本体の上部に設けたキャビネット内に収納した冷却装置の凝縮器と、前記装置本体の内部にて前記飲料容器の背後に配置して前記凝縮器に接続した蒸発器と、前記凝縮器の背後に配置した同凝縮器の冷却ファンと、前記装置本体の前面に取付けた注出コックとを備えて、前記蒸発器によって冷却された前記飲料容器内の冷却飲料を前記注出コックを開いて注出するようにした冷却飲料供給装置において、
前記注出コックの上方に位置する前記キャビネットの前面に吸気口を設けて同吸気口を通して外部から流入する空気が前記凝縮器を介して前記冷却ファンによって吸入されるようにしたことを特徴とする冷却飲料供給装置。
【請求項２】
前記凝縮器の前面に取付けたフィルタが前記キャビネット内にて前記注出コックの後方に位置して、同フィルタに捕集された塵埃等の浮遊物が前記冷却ファンの停止時に前記注出コックの上に落下しないようにしたことを特徴とする請求項１に記載の冷却飲料供給装置。
【発明の詳細な説明】
【０００１】
【発明の属する技術分野】
本発明は、例えば生ビールなどの冷却飲料を供給するための冷却飲料供給装置に関する。
【０００２】
【従来の技術】
従来、実開昭５８−１０７３９７号公報においては、冷却飲料を貯蔵した飲料容器をその内部に収納した装置本体と、この装置本体の上部に設けたキャビネット内に収納した冷却装置の凝縮器と、前記装置本体の内部にて前記飲料容器の背後に配置して前記凝縮器に接続した蒸発器と、前記凝縮器の背後に配置した同凝縮器の冷却ファンと、前記装置本体の前面に取付けた注出コックとを備えて、前記蒸発器によって冷却された前記飲料容器内の冷却飲料を前記注出コックを開いて注出するようにした冷却飲料供給装置が開示されている。
【０００３】
【発明が解決しようとする課題】
上記の従来装置においては、注出コックの周囲の雰囲気中に滞留している塵や埃などの浮遊物に対する配慮が何らなされていないため、注出コックを開いて飲料容器内の冷却飲料をグラスなどに注出するとき、同グラスに注入した冷却飲料に上記浮遊物が混入することがあるという問題があった。
【０００４】
【発明の概要】
本発明は、上記の注出コックから注出される冷却飲料に塵や埃などの浮遊物が混入しないようにした冷却飲料供給装置を提供することを目的とする。
【０００５】
本発明は、上記の目的を達成するため、冷却飲料を貯蔵した飲料容器をその内部に収納した装置本体と、この装置本体の上部に設けたキャビネット内に収納した冷却装置の凝縮器と、前記装置本体の内部にて前記飲料容器の背後に配置して前記凝縮器に接続した蒸発器と、前記凝縮器の背後に配置した同凝縮器の冷却ファンと、前記装置本体の前面に取付けた注出コックとを備えて、前記蒸発器によって冷却された前記飲料容器内の冷却飲料を前記注出コックを開いて注出するようにした冷却飲料供給装置において、前記注出コックの上方に位置する前記キャビネットの前面に吸気口を設けて同吸気口を通して外部から流入する空気が前記凝縮器を介して前記冷却ファンによって吸入されるようにしたことを特徴とする冷却飲料供給装置を提供するものである。この冷却飲料供給装置においては、前記凝縮器の冷却ファンの作動時に注出コックの周囲に浮遊する塵や埃などの浮遊物が装置本体の上部に設けたキャビネットの前面に位置する吸気口に常に吸入されるため、注出コックバルブから注出される冷却飲料に上記浮遊物が混入することを確実に防止でき、清浄な状態で冷却飲料を供給することができる。
【０００７】
本発明の実施あたっては、前記凝縮器の前面に取付けたフィルタが前記キャビネット内にて前記注出コックの後方に位置して、同フィルタに捕集された塵埃等の浮遊物が前記冷却ファンの停止時に前記注出コックの上に落下しないようにすることが望ましい。このように実施した場合には、フィルタが注出バルブより後方位置に配設されているため、凝縮器の冷却ファンが停止している場合であっても、上記フィルタによって捕集された浮遊物は、本体の上面上に落下するだけであり、注出コックの周囲に落下しないため、注出コックから注出される冷却飲料に塵埃等の浮遊物が混入することを一層確実に防止できる。
【０００８】
【発明の実施の形態】
以下、本発明の一実施形態について図面を用いて説明する。図１は同実施形態に係る冷却飲料供給装置の全体正面図であり、図２は同冷却飲料供給装置の全体縦断面図である。この冷却飲料供給装置は、本体１０と、同本体１０内に収容された飲料容器２０と、本体１０の上面上に設置されたキャビネット３０とを備えている。
【０００９】
本体１０は、断熱材などにより前面を開口させた方形に形成された収容庫１１と、同収容庫１１の前面を開閉する扉１２とからなる。扉１２の外側の面上の上部には、飲料容器２０内の飲料を外部に選択的に注出する注出コック１３が組み付けられている。扉１２の外側の面上であって注出コック１３の下方位置には、排水受皿１４が組み付けられている。収容庫１１内であって飲料容器２０の後方位置には、凝縮冷媒を蒸発させて収容庫１１内の空気を冷却する蒸発器１５が配設されている。収容庫１１内であって蒸発器１５の上方位置には、蒸発器１５により冷却された空気を収容庫１１内にて循環させる冷却ファン１６が配設されている。
【００１０】
飲料容器２０は、金属などによって樽状に形成されて、例えば生ビールなどの冷却飲料を収容したものである。飲料容器２０内には図示しない外部からガスホース２１を介して炭酸ガス圧が付与されており、同ガス圧によって、同飲料容器２０内の飲料が同容器２０の上端に接続されたホース２２を介して注出コック１３まで圧送されるようになっている。ホース２２は、注出コック１３から注出される飲料の泡立ちを抑制するために十分な長さに形成され、中間部にて扉１２の裏面上に組み付けられたフック１２ａに掛けられている。
【００１１】
キャビネット３０は金属などによって形成されて、前面及び底面を開口させた方形状に形成された本体部３１と、同本体部３１の前面に組み付けられた前板３２とからなる。本体部３１の両側面後部及び背面には、キャビネット３０内の空気を外部に排出するための排気口３１ａ（図２にて一方の側面のもののみを図示）が形成されている。前板３２、すなわち注出コック１３の近傍位置には、外部の空気をキャビネット３０内に吸入するための吸気口３２ａが形成されている。排気口３１ａ及び吸気口３２ａは、それぞれ複数の貫通孔からなる。吸気口３２ａには、注出コック１３より後方位置にて、空気中の浮遊物を捕集するためのフィルタ３３が介装されている。
【００１２】
キャビネット３０内には、コンプレッサ３４及び凝縮器３５が収容されている。コンプレッサ３４は、キャビネット３０内後部位置に配設されて、冷媒を圧送するものである。凝縮器３５は、キャビネット３０内であって吸気口３２ａ及びフィルタ３３の後方かつ隣接位置に配設されて、コンプレッサ３４により圧送された冷媒を凝縮するものである。これらコンプレッサ３４及び凝縮器３５により、凝縮された冷媒が、ドライヤ３６によりその水分を除去された上で、キャピラリ３７を介して蒸発器１５に供給される。ドライヤ３６は、上記凝縮冷媒の水分を除去するものである。なお、蒸発器１５により蒸発させられた冷媒は、コンプレッサ３４に戻される。
【００１３】
キャビネット３０内には、凝縮器の冷却ファン３８も収容されている。凝縮器の冷却ファン３８は、凝縮器３５の後側に組み付けられたガイド３９内に配設されて、外部の空気を吸気口３２ａ、フィルタ３３及び凝縮器３５を介してキャビネット３０内に吸入し、同空気により凝縮器３５を冷却する。さらに、同吸入した空気を後方へ向けて送り、同空気によりコンプレッサ３４を冷却した上で、同空気を排気口３１ａから外部に排出する。
【００１４】
上述のように構成した冷却飲料供給装置においては、蒸発器１５が、コンプレッサ３４により圧送されて凝縮器３５により凝縮された冷媒を蒸発させて、収容庫１１内の空気を冷却する。また、冷却ファン１６が、同冷却された空気を循環させて、収容庫１１内全体を冷却する。これにより、飲料容器２０内の飲料が冷却される。そして、この冷却された飲料は、ホース２２及び注出バルブ１３を介して、外部に適宜注出される。
【００１５】
一方、上記飲料の冷却中、凝縮器の冷却ファン３８は、外部の空気を吸気口３２ａを介してキャビネット３０内に吸入し続けて、凝縮器３５を冷却し続けている。この場合、上記吸気口３２ａが注出コック１３の近傍位置に配設されているため、凝縮器の冷却ファン３８は、上記空気の吸入時に、上記凝縮器３５の冷却と兼ねて、注出バルブ１３の雰囲気中の塵や埃などの浮遊物を吸い取り、注出コック１３により注出される飲料に上記浮遊物が混入することを防止する。
【００１６】
また、上記実施形態においては、本体１０が方形に形成されていて注出コック１３が同本体１０の前面の扉１２の外側上部に組み付けられており、キャビネット３０が方形に形成されているとともに本体１０の上面上に設置されていて吸気口３２ａが同キャビネット３０の前面の前板３２に形成されているため、簡単な構成で、吸気口３２ａが注出コック１３の近傍位置に配設されるようになっている。
【００１７】
また、吸気口３２ａにフィルタ３３が介装されているため、上記凝縮器の冷却ファン３８による空気の吸入時に、同空気中に含まれる浮遊物が同フィルタ３３により捕集される。この場合、フィルタ３３が注出コック１３より後方位置に配設されているため、凝縮器の冷却ファン３８が上記空気の吸入を停止している場合であっても、上記フィルタ３３により捕集された浮遊物は、本体１０の上面上に落下するだけであり、注出コック１３の周辺まで落下しない。したがって、キャビネット３０内に空気と共に浮遊物が吸入されることを防止した上で、注出コック１３により注出される飲料に浮遊物が混入することを防止できる。
【図面の簡単な説明】
【図１】  本発明の一実施形態に係る冷却飲料供給装置の全体正面図である。
【図２】  前記冷却飲料供給装置の全体縦断面図である。
【符号の説明】
１０…本体、１３…注出コック、１５…蒸発器、２０…飲料容器、３０…キャビネット、３２ａ…吸気口、３３…フィルタ、３５…凝縮器、３８…凝縮器の冷却ファン。
【図１】
0003874940.tif 000002
【図２】
0003874940.tif 000003